(57)【要約】      （修正有）【課題】振動や衝撃が長期にわたり行われる個所に締め付けたねじの緩みを防止する、緩み防止ねじを提供する。【解決手段】緩み防止ネジは、ボルト１とバネ座金２とナット３とを組み合わせた締結ネジ部品であって、ボルト１の螺旋形状の軸部４は、両脇のネジ山５ａ、５ｂと、ネジ山の一部を軸の中心線に平行な方向に切除した形状の、切除部６ａと背面側の切除部を設けてあり、バネ座金２は、外周を円形状にしてあるが、内周が略長円形状になっているため、ボルト１の軸部４に嵌めることができるが、ボルト１に対して単独で捩る方向へは回転出来ないようにしている。ナット３は、座面８の表面に複数の凹状の溝部９を設けている。弾性を備えたバネ座金２の切れ目部分の一端部７ｂがナット３側へ反ってあり、ナット３で締め付けると、バネ座金２の切れ目部分の一端部７ｂが、ナット３の溝部９に嵌まり込むようになるため、緩み防止を図ることができる。【選択図】図１
2016035315.tif 000002
【特許請求の範囲】
【請求項１】
雄ネジとバネ座金と雌ネジとが組み合った締結部品であって、前記雄ネジは、軸部の両脇の螺旋状ネジ山の一部を長手方向に切除した形状の切除部を有し、弾性を有する前記バネ座金は、内周を略長円形状とし、尚且つ、前記切除部に隣接する付近の内縁から対峙する内縁までの長さを、前記切除部から背面の切除部までの長さより長く、且つ、前記ネジ山の頂から背面のネジ山の頂までの長さより短くした形状を有し、また、該バネ座金の切れ目部分は一端部が前記雌ネジ側へ反った形状を有し、前記雌ネジは、座面の複数個所に凹状の溝部を有し、該溝部に前記バネ座金の一端部が嵌まり込む形状を備えたことを特徴とする緩み防止ネジ。
【発明の詳細な説明】
【技術分野】
【０００１】
本発明は振動下に於ける緩みの発生を抑える緩み防止ネジに関するものである。  
【背景技術】
【０００２】
従来、ネジは被締結部材を締め付けても振動等の要因で緩んでしまう。この緩みを防ぐために、ナットのネジ山部分にナイロン樹脂をコーティングしたもの、あるいは、ナットを二重にして締め付けていた。
【０００３】
その他に、特許文献１にナットの座面の表面に凹部が形成されたものが開示されている。特許文献２に緩み防止結合体のバネ座金が開示されている。特許文献３のバネ座金は、内径をボルトの外形と同型にしてあり、さらに、固定用のツメを設けてナット締め付け後にこの固定用ツメを起こしてナットの縦溝に押し込むようにしたものが開示されている。特許文献４に内部にネジ孔が形成され、かつ、一方の前記座面のネジ孔の円縁に溝が形成されたロックナットが開示されている。特許文献５にナットの座面に溝を設けて、このナットとナットの間にスプリングを設けたもの、あるいは、特許文献７に両ナットの間に環状部材を介在させた固定状態を維持するネジのロック構造が開示されている。特許文献９にネジ山の頂部及び側面とネジ溝とをボルトの長手方向に帯状に除去した形状の凹条を設けたものが開示されている。特許文献１０にアンカー定着用座金が開示されている。
【先行技術文献】
【特許文献】
【０００４】
【特許文献１】特開２０１３−９６５２１号公報
【特許文献２】特開２０１２−１０２８６６号公報
【特許文献３】特開２０１０−１３９０５８号公報
【特許文献４】特開２００５−０６９２５４号公報
【特許文献５】特開２００４−１６９９０２号公報
【特許文献６】特開２００１−５９５１３号公報
【特許文献７】特開２０００−２４０６３３号公報
【特許文献８】特開平１０−６１６４５号公報
【特許文献９】特開平９−１８９３１９号公報
【特許文献１０】意願平９−７７４１０号公報
【発明の開示】
【発明が解決しようとする課題】
【０００５】
しかしながら、上記特許文献１〜１０に開示されたものは製造面で手間がかかるためコスト高になる。また、被締結部材の締結作業をする場合には手間と時間が係る。
【０００６】
その為、本発明の根底をなす課題は、製造コストも安価で簡単な作業で確実に締め付けることができる緩み防止ネジを提供することを目的とする。
【課題を解決するための手段】
【０００７】
そこで本発明にあっては、上記課題を解決するために講じた本発明の手段は次のとおりである。雄ネジとバネ座金と雌ネジとが組み合った締結部品であって、前記雄ネジは、軸部の両脇の螺旋状ネジ山の一部を長手方向に切除した形状の切除部を有し、弾性を有する前記バネ座金は、内周を略長円形状とし、尚且つ、前記切除部に隣接する付近の内縁から対峙する内縁までの長さを、前記切除部から背面の切除部までの長さより長く、且つ、前記ネジ山の頂から背面のネジ山の頂までの長さより短くした形状を有し、また、該バネ座金の切れ目部分は一端部が前記雌ネジ側へ反った形状を有し、前記雌ネジは、座面の複数個所に凹状の溝部を有し、該溝部に前記バネ座金の一端部が嵌まり込む形状を備えたことを特徴とする緩み防止ネジである。
【０００８】
これによれば、前記バネ座金の外周を円形状にして、内周を雄ネジの前記軸部の円周と同型の略長円形状にしている。前記軸部の前記ネジ山の頂から背面のネジ山の頂までの幅よりも前記バネ座金の内縁から対峙する内縁までの幅を狭くした区域を設けたことで、該バネ座金は、前記雄ネジの軸部に嵌めたり取り外したりは出来るが単独で捩る方向へは回転しないようになっている。さらに、該バネ座金の切れ目部分は、前記雌ネジを緩める方向側の前記一端部が前記雌ネジ側へ反っている。該一端部が、前記雌ネジの座面に複数ある前記溝部の一つに嵌まり込むようになっている。
【０００９】
前記雄ネジの切除部を三方の側面に設けた場合、螺旋状ネジ山の部分が少なくなり、このネジ山に強い圧力がかかった時にネジ山の強度不足が生じる恐れがある。また、該切除部を一方のみの側面に設けた場合、雄ネジにバネ座金を嵌める時、最大時には、およそ３６０度捻りながら嵌めるようになるため手間取る。そこで該切除部を両脇の二方の側面に設けることで最大時でも、およそ１８０度捻るだけで嵌めることができるため手間取ることがなくスムーズにネジの締め付けを行うことができる。
【００１０】
前記雌ネジは、前記バネ座金に接する側の座面の表面に複数の凹状の溝部を有している。例えば、該座面を上向きにした場合の該溝部は、雌ネジを緩める方向側から締め付け方向へ緩やかな下り勾配の斜面と、さらに、下った位置から鋭角な方向へ上り勾配の斜面を備えた形状にするのが望ましい。
【００１１】
又、締め付けた後にネジを緩める場合には、前記雌ネジの前記溝部に嵌まり込んだ前記バネ座金の前記一端部を該溝部から外す必要がある。その場合、前記バネ座金の前記一端部を被締結部材側へ押しやった状態で緩める方向へ捩じると嵌まりを脱して外すことができる。このため、前記バネ座金の外縁の外径を大きくして前記雌ネジの外壁から外側へはみ出した形状にするのが望ましい。
【００１２】
前記バネ座金は前記雄ネジの螺旋状のネジ山とネジ山の挟間にかまれない厚みを備えている。
【００１３】
被締結部材を、前記雄ネジと前記バネ座金と前記ナットを組み合わせた前記緩み防止ネジで締め付けると振動等でネジが緩み方向へ回転しようとしても前記バネ座金の弾性反発力により前記バネ座金の前記一端部が前記雌ネジの前記溝部にはまり込むため緩み回転が阻止され強度の維持が図られる。                        
【発明の効果】
【００１４】
本発明によれば、被締結部材の締め付けは、雄ネジにバネ座金を嵌め雌ネジで締め付けるだけで短時間に締め付けを完了して緩み防止を図り振動や衝撃により緩んだネジの脱落を確実に防止することができる。また、製造する場合も技術的に簡単にできる。
【図面の簡単な説明】
【００１５】
【図１】本発明の実施例の緩み防止ネジの概略的な構成図である。
【図２】本発明の実施例の底部から見たボルトの底面図である。
【図３】本発明の実施例のバネ座金の平面図である。
【図４】本発明の実施例のバネ座金の正面図である。
【図５】本発明の実施例のナットの座面の平面図である。
【発明を実施するための最良の形態】
【００１６】
本発明の実施の形態について、図面に従って詳細に説明すれば、図１は、本発明の実施例を表す一般的な形態の概略図を示すが、被締結部材１１を締結するための雄ネジのボルト１は、頭部１０と軸部４で形成され、雌ネジのナット３とねじ合う形状を有する。軸部４には、両側に螺旋状のネジ山５ａ、５ｂを有し、前面はネジ山の一部を頭部１０近傍から末端方向へ切削状に切除した切除部６ａを有し、また、背面にも同様に切除部６ｂを有している。緩み防止ネジＳは、ボルト１とバネ座金２とナット３から成り、バネ座金２の切れ目部分の一端部７ｂはナット３側へ反った形状を示していて、該一端部７ｂがナット３の溝部９に嵌まり込むようになっている。
【００１７】
図２は、ボルト１の底面から見た図である。軸部４の両側面には螺旋状ネジ山を切除した切除部６ａと背面の切除部６ｂ及びネジ山５ａとネジ山５ｂが形成されている。
【００１８】
図３のバネ座金２は、弾力性を備えている。また、外周を円形にした外縁１３を設けてあり、内周は略長円形にしてある。内周の幅の狭い付近で対峙する内縁１２ａから１２ｂまでの幅は、図２に示すネジ山５ａから背面のネジ山５ｂまでの幅より狭く、尚且つ、切除部６ａから背面の切除部６ｂまでの幅よりも広くしている。内周を略長円形状にすることでボルト１に嵌めることができるが螺合方向へは回転しないようになっている。該バネ座金２の外周の外縁１３をナット３の外周面よりも外側にはみ出した形状にするのが望ましく、緩める場合に、はみ出した箇所を押さえるために設けたものである。
【００１９】
図４のバネ座金２は、切れ目部分の一端部７ａと一端部７ｂが上下に違える方向に反った形状にしている。また、厚みはボルト１の螺旋の幅より厚くしている。図５のナット３の座面８には、三か所に溝部９が形成されている。該溝部９にバネ座金２の一端部７ｂが嵌まり込むように形成されている。
【００２０】
被締結部材１１の締結はボルト１の頭部１０とバネ座金２の間に被締結部材１１を位置させナット３を螺合して締め付けるだけでよい。締め付け完了時には押さえつけられたバネ座金２の一端部７ｂは、ナット３の溝部９に弾性の反発力で嵌まり込むようになり、また、嵌まり込まなくてもナット３を少し緩める方向に捩じり戻るとバネ座金２の一端部７ｂは弾性の反発力で元に戻ろうとしてナット３の溝部９に取り付き嵌まるようになる。また緩める場合には、バネ座金２の一端部７ｂを逆方向に押圧した状態でナット３を緩める方向へ捩じることで緩めることが可能である。また、専用工具を用いれば簡単に緩めることができる。
【００２１】
又、本発明は、上記実施の形態や実施例には限定されるものではなく、特許請求の範囲において、各部材の形状や素材等、適宜変更可能である。
【符号の説明】
【００２２】
Ｓ                    緩み防止ネジ
１                    ボルト
２                    バネ座金
３                    ナット
４                    軸部
５ａ  ５ｂ            ネジ山
６ａ  ６ｂ            切除部
７ａ  ７ｂ            一端部      
８                    座面
９                    溝部
１０                  頭部
１１                  被締結部材                
１２ａ  １２ｂ        内縁
１３                  外縁
【図１】
2016035315.tif 000003
【図２】
2016035315.tif 000004
【図３】
2016035315.tif 000005
【図４】
2016035315.tif 000006
【図５】
2016035315.tif 000007